【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
水平方向を管軸とする横置きの伝熱管が上下方向に積層され、当該積層された伝熱管を横方向に複数列並べてボイラ内部に形成されるバンクに向けて、当該バンクの上面側と下面側から噴霧媒体を噴射して灰を除去するスートブロワ装置であって、
ボイラ壁面から挿入される前記噴霧媒体を噴射する複数のブロワノズルが、前記バンク上方と下方においてそれぞれ水平方向に移動可能に設置され、
前記バンクを形成する前記伝熱管は、前記管軸に交差する向きにフィンを備えたフィン付き伝熱管であり、
前記バンク上方のブロワノズルと前記バンク下方のブロワノズルとが水平面内において互いにずれた位置を移動するように配置されてなること
を特徴とするスートブロワ装置。
【請求項２】
水平方向を管軸とする横置きの伝熱管が上下方向に積層され、当該積層された伝熱管を横方向に複数列並べてボイラ内部に形成されるバンクに向けて、当該バンクの上面側と下面側から噴霧媒体を噴射して灰を除去するスートブロワ装置であって、
ボイラ壁面から挿入される前記噴霧媒体を噴射する複数のブロワノズルが、前記バンク上方と下方においてそれぞれ水平方向に移動可能に設置され、
前記バンクを形成する前記伝熱管は、前記管軸に交差する向きに張り出すフィンを前記管軸方向に間隔をあけて複数備えたフィン付き伝熱管であり、
前記ブロワノズルは、前記フィンが張り出している方向に対して離れた位置から前記フィン付き伝熱管に噴霧媒体を噴射し、
前記バンク上方のブロワノズルと前記バンク下方のブロワノズルとが水平面内において互いにずれた位置を移動するように配置されてなること
を特徴とするスートブロワ装置。
【請求項３】
水平方向を管軸とする横置きの伝熱管が上下方向に積層され、当該積層された伝熱管を横方向に複数列並べてボイラ内部に形成されるバンクに向けて、当該バンクの上面側と下面側から噴霧媒体を噴射するブロワノズルを有し、前記伝熱管の灰を除去するスートブロワ装置であって、
前記伝熱管に対して、前記ブロワノズルの噴射口から最も近い伝熱管までの距離をＬｓとし、前記バンクの厚さをＴｂとし、前記ブロワノズルどうしの間隔をＸｌｐとした場合に、以下の式（３）ないし（６）の全てを満たすことを特徴とするスートブロワ装置、
Ｌｓ＝ｋ１・Ｔｂ  …式（３）、
Ｌｓ＝ｋ２・Ｘｌｐ  …式（４）、
０．１０＜ｋ１＜１．８３  …式（５）、
０．０８＜ｋ２＜１．２６  …式（６）。
【請求項４】
請求項１ないし３のいずれかに記載のスートブロワ装置を備えたことを特徴とするボイラ。
【請求項５】
水平方向を管軸とする横置きの伝熱管を上下方向に積層したものを横方向に複数列並べて形成された複数のバンクと、
前記バンクに向けて、当該バンクの上面側と下面側から噴霧媒体を噴射して灰を除去するスートブロワ装置であって、ボイラ壁面から挿入される前記噴霧媒体を噴射する複数のブロワノズルが前記バンク上方と下方それぞれ水平方向を往復移動可能に設置されるスートブロワ装置と、
を備えたボイラにおいて、
前記複数のバンクのうち、少なくとも一つのバンクを形成する前記伝熱管は、前記管軸に交差する向きにフィンを備えたフィン付き伝熱管であり、
当該バンク上方のブロワノズルと当該バンク下方のブロワノズルとが水平面内において互いにずれた位置を移動するように配置され、
前記バンク上方のブロワノズルは、前記管軸方向に沿って間隔を空けて配置され、
前記バンク下方のブロワノズルは、前記管軸方向において、前記下方のブロワノズルどうしの中間の位置に配置された
ことを特徴とするボイラ。
【手続補正２】
【補正対象書類名】明細書
【補正対象項目名】００１７
【補正方法】変更
【補正の内容】
【００１７】
請求項２に記載の発明は、水平方向を管軸とする横置きの伝熱管が上下方向に積層され、当該積層された伝熱管を横方向に複数列並べてボイラ内部に形成されるバンクに向けて、当該バンクの上面側と下面側から噴霧媒体を噴射して灰を除去するスートブロワ装置であって、ボイラ壁面から挿入される前記噴霧媒体を噴射する複数のブロワノズルが、前記バンク上方と下方においてそれぞれ水平方向に移動可能に設置され、前記バンクを形成する前記伝熱管は、前記管軸に交差する向きに張り出すフィンを前記管軸方向に間隔をあけて複数備えたフィン付き伝熱管であり、
前記ブロワノズルは、前記フィンが張り出している方向に対して離れた位置から前記フィン付き伝熱管に噴霧媒体を噴射し、前記バンク上方のブロワノズルと前記バンク下方のブロワノズルとが水平面内において互いにずれた位置を移動するように配置されてなることを特徴とするスートブロワ装置である。
【手続補正３】
【補正対象書類名】明細書
【補正対象項目名】００１８
【補正方法】変更
【補正の内容】
【００１８】
請求項３に記載の発明は、水平方向を管軸とする横置きの伝熱管が上下方向に積層され、当該積層された伝熱管を横方向に複数列並べてボイラ内部に形成されるバンクに向けて、当該バンクの上面側と下面側から噴霧媒体を噴射するブロワノズルを有し、前記伝熱管の灰を除去するスートブロワ装置であって、前記伝熱管に対して、前記ブロワノズルの噴射口から最も近い伝熱管までの距離をＬｓとし、前記バンクの厚さをＴｂとし、前記ブロワノズルどうしの間隔をＸｌｐとした場合に、以下の式（３）ないし（６）の全てを満たすことを特徴とするスートブロワ装置である。
Ｌｓ＝ｋ１・Ｔｂ  …式（３）、
Ｌｓ＝ｋ２・Ｘｌｐ  …式（４）、
０．１０＜ｋ１＜１．８３  …式（５）、
０．０８＜ｋ２＜１．２６  …式（６）。
【手続補正４】
【補正対象書類名】明細書
【補正対象項目名】００１９
【補正方法】変更
【補正の内容】
【００１９】
請求項４に記載の発明は、請求項１ないし３のいずれかに記載のスートブロワ装置を備えたことを特徴とするボイラである。
【手続補正５】
【補正対象書類名】明細書
【補正対象項目名】００２０
【補正方法】変更
【補正の内容】
【００２０】
請求項５に記載の発明は、水平方向を管軸とする横置きの伝熱管を上下方向に積層したものを横方向に複数列並べて形成された複数のバンクと、前記バンクに向けて、当該バンクの上面側と下面側から噴霧媒体を噴射して灰を除去するスートブロワ装置であって、ボイラ壁面から挿入される前記噴霧媒体を噴射する複数のブロワノズルが前記バンク上方と下方それぞれ水平方向を往復移動可能に設置されるスートブロワ装置と、を備えたボイラにおいて、前記複数のバンクのうち、少なくとも一つのバンクを形成する前記伝熱管は、前記管軸に交差する向きにフィンを備えたフィン付き伝熱管であり、当該バンク上方のブロワノズルと当該バンク下方のブロワノズルとが水平面内において互いにずれた位置を移動するように配置され、前記バンク上方のブロワノズルは、前記管軸方向に沿って間隔を空けて配置され、前記バンク下方のブロワノズルは、前記管軸方向において、前記下方のブロワノズルどうしの中間の位置に配置されたことを特徴とするボイラである。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】変更
【補正の内容】
【００２４】
請求項１，２，４，５記載の発明によれば、フィン付きの伝熱管に対してブロワノズルから吹き付けられた噴流は、フィン無の場合に比べると管軸への噴流の広がりが制約され、その分噴流には吹き付け方向への指向性が付与される。したがって、灰除去能力が十分な領域が吹き付け方向に拡大する。よって、伝熱管を挟んで両側に対向するようにブロワノズルを設置しなくても、伝熱管を挟んで一方側に配置されたブロワノズルと、伝熱管を挟んで他方側に配置されたブロワノズルとが、前記管軸方向に対してずれた位置に配置することで、伝熱管の全体の灰を除去することができる。したがって、灰を除去する効率の低下を抑制しつつ、噴流の噴射圧を高くする必要がなくなって、伝熱管の摩耗を抑制することができる。
【手続補正１０】
【補正対象書類名】明細書
【補正対象項目名】００２５
【補正方法】変更
【補正の内容】
【００２５】
請求項３に記載の発明によれば、灰を除去する効率の低下を抑制しつつ、噴流の噴射圧を高くする必要がなくなって、伝熱管の摩耗を抑制することができる。
【手続補正１１】
【補正対象書類名】明細書
【補正対象項目名】００２６
【補正方法】変更
【補正の内容】
【００２６】
また、請求項５記載の発明によれば、下面側のブロワノズルを上面側のブロワノズルどうしの中間の位置に配置することで、伝熱管の全域をムラ無くカバーしやすく、全体の灰を効率的に除去しやすい。
【手続補正１２】
【補正対象書類名】明細書
【補正対象項目名】００２７
【補正方法】削除
【補正の内容】